(57)【要約】【課題】服薬管理において服薬者の誤飲や重複薬を防止すること。【解決手段】服薬管理装置１は、一又は複数の薬を保持する薬袋３０、３１を支持可能なクリップ１１と、複数のクリップ１１各々について、服薬時間を示す服薬情報５５１を記憶する記憶部５５と、複数のクリップ１１各々について、薬袋３０、３１を支持しているか否かを示す検知情報を取得する服薬剤有無検知部５２と、計時された時間情報を取得する時間管理部５４１と、服薬情報５５１、検知情報、及び、時間情報に基づいて、複数の報知パターンから報知パターンを選択する服薬情報管理部５４２と、服薬情報管理部５４２が選択した報知パターンで、音又は光を用いた報知を行う報知部５６とを備える。【選択図】図７
2017158944.tif 000002
【特許請求の範囲】
【請求項１】
一又は複数の薬を保持する薬包体を支持可能な支持部と、
複数の前記支持部各々について、服薬時間を示す服薬時間情報を記憶する記憶部と、
複数の前記支持部各々について、前記薬包体を支持しているか否かを示す検知情報
を取得する検知情報取得部と、
計時された時間情報を取得する時間情報取得部と、
前記服薬時間情報、前記検知情報、及び、前記時間情報に基づいて、複数の報知パターンから報知パターンを選択する選択部と、
前記選択部が選択した報知パターンで、音又は光を用いた報知を行う報知部と、
を備えることを特徴とする服薬管理装置。
【請求項２】
前記選択部は、少なくとも一つの前記支持部について、計時された時間が前記服薬時間を超えたときに、前記検知情報が当該支持部に前記薬包体が取り付けられていることを示す場合、第１の報知パターンを選択することを特徴とする請求項１に記載の服薬管理装置。
【請求項３】
前記選択部は、前記支持部について、計時された時間が前記服薬時間を超えていないときに、前記検知情報が当該支持部に前記薬包体が取り付けられていないことを示す場合、第２の報知パターンを選択することを特徴とする請求項２に記載の服薬管理装置。
【請求項４】
前記選択部は、第１の前記支持部について、計時された時間が前記服薬時間を超えたときに、第２の前記支持部について、前記検知情報が当該支持部に前記薬包体が取り付けられていないことを示す場合、第３の報知パターンを選択することを特徴とする請求項２または請求項３に記載の服薬管理装置。
【請求項５】
前記選択部は、第１の前記支持部について、計時された時間が前記服薬時間の範囲を超えたときに、前記検知情報が当該支持部に前記薬包体が取り付けられていることを示す場合、第２の前記支持部について、計時された時間が前記服薬時間を超えるまでの間に、第４の報知パターンを選択することを特徴とする請求項２から請求項４のいずれか一項に記載の服薬管理装置。
【請求項６】
前記選択部は、少なくとも一つの前記支持部について、計時された時間が前記服薬時間を超えたときに、前記検知情報が当該支持部に前記薬包体が取り付けられていないことを少なくとも一度示した後、当該支持部に前記薬包体が取り付けられていることを示した場合、第５の報知パターンを選択することを特徴とする請求項２から請求項５のいずれか一項に記載の服薬管理装置。
【請求項７】
前記支持部は、前記薬包体を挟持する挟持部を有することを特徴とする請求項１から請求項６のいずれか一項に記載の服薬管理装置。
【請求項８】
前記挟持部は、前記薬包体を挟持する状態において互いに離間し、前記薬包体を挟持しない状態において互いに接する少なくとも一対の電極を有し、
前記検知情報取得部は、前記支持部の各々について、前記少なくとも一対の電極が互いに接しているか否かを判定することにより、当該挟持部が前記薬包体を支持しているか否かを判定することを特徴とする請求項７に記載の服薬管理装置。
【請求項９】
複数の支持部各々について、服薬時間を示す服薬時間情報を記憶する第１のステップと、
複数の前記支持部各々について、一又は複数の薬を保持する薬包体を支持しているか否かを示す検知情報を取得する第２のステップと、
計時された時間情報を取得する第３のステップと、
前記服薬時間情報、前記検知情報、及び、前記時間情報に基づいて、複数の報知パターンから報知パターンを選択する第４のステップと、
前記第４のステップで選択された報知パターンで、音又は光を用いた報知を行う第５のステップと、
を含む制御方法。
【請求項１０】
コンピュータに、
複数の支持部各々について、服薬時間を示す服薬時間情報を記憶する第１のステップと、
複数の前記支持部各々について、一又は複数の薬を保持する薬包体を支持しているか否かを示す検知情報を取得する第２のステップと、
計時された時間情報を取得する第３のステップと、
前記服薬時間情報、前記検知情報、及び、前記時間情報に基づいて、複数の報知パターンから報知パターンを選択する第４のステップと、
前記第４のステップで選択された報知パターンで、音又は光を用いた報知を行う第５のステップと、
を実行させるためのプログラム。
【発明の詳細な説明】
【技術分野】
【０００１】
本発明は、服薬管理装置、制御方法、及びプログラムに関する。
【背景技術】
【０００２】
高齢化の進む現代社会において、介護が必要であると認定された高齢者がいる。要介護認定者の介護サービスの一形態として、通所介護サービスが知られている。通所介護サービスでは、要介護認定者が、介護老人福祉施設に事業者の車両で日毎に通い、日常生活に必要な介護や心身状態の観察を受ける。このような要介護認定者が、医療機関から処方された薬を自宅で服用する必要がある場合がある。要介護認定者は、処方箋に従い、決められた時間に決められた種類と量の薬を服用する必要がある。
しかし、要介護認定者が、自宅で服用するための数日分の複数種類の薬を処方された場合、服薬時間と服薬する薬の種類と量を含めた服薬を自身で管理することは困難である。実際、要介護認定者は、高齢であったり認知症を患っていたりする。そのため、要介護認定者は、食事、服薬の時間がわからない場合がある。要介護認定者の服薬の管理が困難であることは、要介護認定者だけでなく、有資格介護者にとっても大きな負担となっている。
【０００３】
服薬の管理が容易でないことを解決するための様々なアイディアが提案されている。例えば、壁掛け型で複数の薬ポケットを具備し、服薬の日時に合わせて整理し、服薬のタイミングを図る工夫をした薬入れがあった（特許文献１参照）。
【０００４】
また、容器本体に、１回に服薬すべき薬を収納する複数の薬箱、服薬時間の設定および時間表示が可能な時計、及び音声の録音再生機能を備え、服薬時間が来ると、服薬者の興味を引く文言による音声、及び表示灯で報知し、服薬の動機付けを行い、服薬の忘れを防止するようにした服薬管理装置があった（特許文献２参照）。
【０００５】
また、薬を入れるケースに、服薬時間を報知する機能をもたせ、医療機関などから処方された薬を専用の薬箱に移し変える手間や、服薬時間を合わせる手間を省く服薬管理装置があった（特許文献３参照）。
【先行技術文献】
【特許文献】
【０００６】
【特許文献１】実用新案登録第３１３１５９０号公報
【特許文献２】実用新案登録第３１７１２６５号公報
【特許文献３】実用新案登録第３１１４９６９号公報
【発明の概要】
【発明が解決しようとする課題】
【０００７】
しかしながら、服薬者が、服薬すべき薬のポケットと異なるポケットの薬を誤飲したり、適正な時間に服薬しなかったことにより重複して服薬してしまう重複薬の問題があった。
【０００８】
本発明は上記の点に鑑みてなされたものであり、服薬管理において服薬者の誤飲や重複薬を防止することが可能になる服薬管理装置、服薬管理方法、服薬管理プログラムを提供する。
【課題を解決するための手段】
【０００９】
（１）本発明は上記の課題を解決するためになされたものであり、本発明の一態様は、一又は複数の薬を保持する薬包体を支持可能な支持部と、複数の前記支持部各々について、服薬時間を示す服薬時間情報を記憶する記憶部と、複数の前記支持部各々について、前記薬包体を支持しているか否かを示す検知情報を取得する検知情報取得部と、計時された時間情報を取得する時間情報取得部と、前記服薬時間情報、前記検知情報、及び、前記時間情報に基づいて、複数の報知パターンから報知パターンを選択する選択部と、前記選択部が選択した報知パターンで、音又は光を用いた報知を行う報知部と、を備えることを特徴とする服薬管理装置である。
【００１０】
（２）また、本発明の一態様は、上記の服薬管理装置において、前記選択部は、少なくとも一つの前記支持部について、計時された時間が前記服薬時間を超えたときに、前記検知情報が当該支持部に前記薬包体が取り付けられていること示す場合、第１の報知パターンを選択することを特徴とする。
【００１１】
（３）また、本発明の一態様は、上記の服薬管理装置において、前記選択部は、前記支持部について、計時された時間が前記服薬時間を超えていないときに、前記検知情報が当該支持部に前記薬包体が取り付けられていないこと示す場合、第２の報知パターンを選択することを特徴とする。
【００１２】
（４）また、本発明の一態様は、上記の服薬管理装置において、前記選択部は、第１の前記支持部について、計時された時間が前記服薬時間を超えたときに、第２の前記支持部について、前記検知情報が当該支持部に前記薬包体が取り付けられていないこと示す場合、第３の報知パターンを選択することを特徴とする。
【００１３】
（５）また、本発明の一態様は、上記の服薬管理装置において、前記選択部は、第１の前記支持部について、計時された時間が前記服薬時間を超えたときに、前記検知情報が当該支持部に前記薬包体が取り付けられていること示す場合、第２の前記支持部について、計時された時間が前記服薬時間を超えるまでの間に、第４の報知パターンを選択することを特徴とする。
【００１４】
（６）また、本発明の一態様は、上記の服薬管理装置において、前記選択部は、少なくとも一つの前記支持部について、計時された時間が前記服薬時間を超えたときに、前記検知情報が当該支持部に前記薬包体が取り付けられていないこと少なくとも一度示し後、当該支持部に前記薬包体が取り付けられていることを示した場合、第５の報知パターンを選択することを特徴とする。
【００１５】
（７）また、本発明の一態様は、上記の服薬管理装置において、前記支持部は、前記薬包体を挟持する挟持部を有することを特徴とする。
【００１６】
（８）また、本発明の一態様は、上記の服薬管理装置において、前記把持部は、前記薬包体を挟持する状態において互いに離間し、前記薬包体を挟持しない状態において互いに接する少なくとも一対の電極を有し、前記検知情報取得部は、前記支持部の各々について、前記少なくとも一対の電極が互いに接しているか否かを判定することにより、当該挟持部が前記薬包体を支持しているか否かを判定することを特徴とする。
【００１７】
（９）また、本発明の一態様は、複数の支持部各々について、服薬時間を示す服薬時間情報を記憶する第１のステップと、複数の前記支持部各々について、一又は複数の薬を保持する薬包体を支持しているか否かを示す検知情報を取得する第２のステップと、計時された時間情報を取得する第３のステップと、前記服薬時間情報、前記検知情報、及び、前記時間情報に基づいて、複数の報知パターンから報知パターンを選択する第４のステップと、前記第４のステップで選択された報知パターンで、音又は光を用いた報知を行う第５のステップと、を含む制御方法である。
【００１８】
（１０）また、本発明の一態様は、コンピュータに、複数の支持部各々について、服薬時間を示す服薬時間情報を記憶する第１のステップと、複数の前記支持部各々について、一又は複数の薬を保持する薬包体を支持しているか否かを示す検知情報を取得する第２のステップと、計時された時間情報を取得する第３のステップと、前記服薬時間情報、前記検知情報、及び、前記時間情報に基づいて、複数の報知パターンから報知パターンを選択する第４のステップと、前記第４のステップで選択された報知パターンで、音又は光を用いた報知を行う第５のステップと、を実行させるためのプログラムである。
【発明の効果】
【００１９】
本発明によれば、服薬管理において服薬者の誤飲や重複薬を防止することが可能になる。
【図面の簡単な説明】
【００２０】
【図１】本発明の第１の実施形態に係る服薬管理装置の正面図である。
【図２】本実施形態に係る服薬管理装置の側面図である。
【図３】本実施形態に係る服薬管理装置のクリップの正面図である。
【図４】本実施形態に係る服薬管理装置のクリップの側面図である。
【図５】本実施形態に係る服薬管理装置の本体の下面図である。
【図６】本実施形態に係る服薬管理装置の本体基礎台の上面図である。
【図７】本実施形態に係る服薬管理装置の構成を示す概略ブロック図である。
【図８】本実施形態に係る服薬情報の一例を示す図である。
【図９】本実施形態に係る服薬管理装置の光を用いた報知パターンの一例を示す図である。
【図１０】本実施形態に係る服薬管理装置の音を用いた報知パターンの一例を示す図である。
【図１１】本実施形態に係る服薬モードにおける報知パターンの一例を示す図である。
【図１２】本実施形態に係る服薬モードにおける服薬管理装置の処理の一例を示すフローチャートである。
【図１３】本実施形態に係る服薬モードにおける服薬管理装置の服薬時間外服薬防止処理の一例を示すフローチャートである。
【図１４】本実施形態に係る服薬モードにおける服薬管理装置の重複薬防止処理の一例を示すフローチャートである。
【図１５】本実施形態に係る残薬確認モードにおける報知パターンの一例を示す図である。
【図１６】本実施形態に係る残薬確認モードにおける服薬管理装置の処理の一例を示すフローチャートである。
【図１７】本実施形態に係る充填モードにおける報知パターンの一例を示す図である。
【図１８】本実施形態に係る服薬履歴情報の一例を示す図である。
【図１９】本実施形態に係る残薬確認モードにおける服薬管理装置の処理の一例を示すフローチャートである。
【発明を実施するための形態】
【００２１】
（第１の実施形態）
以下、図面を参照しながら本発明の実施形態について詳しく説明する。
図１は、本発明の第１の実施形態に係る服薬管理装置の正面図である。
図２は、本実施形態に係る服薬管理装置１の側面図である。
本実施形態に係る服薬管理装置１は、本体１０、クリップ１１、カラーＬＥＤ１１１、カラーＬＥＤ１１２、時計部１２、スピーカー１３、スピーカー１４、持ち運び用取っ手１５、吸着ゴム１６、基台１７、ＡＣアダプター差し込み口１８を含んで構成される、卓上型の服薬管理装置である。
【００２２】
服薬管理装置１の本体１０、基台１７の主要な部分は、合成樹脂で形成される。本体１０は長方形の平板である。
なお、以下の説明において、「左右方向」とは、服薬管理装置１の使用者（服薬者または有資格介護者）が本体１０を見たときの左右方向であり、紙面左右方向と一致している。また、以下の説明において、「上下方向」とは、服薬管理装置１の使用者が本体１０を見たときの上下方向であり、紙面上下方向と一致している。
【００２３】
本体１０の正面側に、横に４個並んだクリップ１１が３段、及び横に２個並んだクリップ１１が１段備えられ、本体１０は、合計１４個のクリップ１１を備える。さらに、本体１０の正面側に、時計部１２、スピーカー１３、及びスピーカー１４が備えられている。また、本体１０の上部には、持ち運び用取っ手１５が装着される。
合計１４個のクリップ１１には、各々薬袋３０、及び薬袋３１が挟まれた状態で固定されている。クリップ１１が合計１４個設けられているため、服薬管理装置１は、２週間分の服薬管理をすることができる。
図１に示すように、本体１０の正面には、複数のクリップ１１が設けられている。クリップ１１は、平面視矩形状をしている。図２に示すように、クリップ１１の上下方向における中間部は、本体１０により左右方向に沿う軸周りに回動可能に支持されている。クリップ１１は、下端部が本体１０の正面に対して、例えば不図示のねじりコイルバネにより付勢されている。
【００２４】
クリップ１１は、本体１０の右下の領域を除いて、本体１０の正面に上下方向および左右方向に所定の間隔を空けて合計１４個設けられている。
クリップ１１の下端部と本体１０との間には、バネの付勢力により薬袋３０及び薬袋３１が挟持される。服薬管理装置１は、クリップ１１を合計１４個備えているため、最大で１４組の薬袋３０及び薬袋３１を保持できる。したがって、服薬管理装置１は、服薬回数が１日２回の場合、１週間分の服薬管理をすることができる。
なお、本実施形態のおいては、本体１０が１４個のクリップ１１を備える場合を説明するが、クリップ１１の個数はこれ以外であってもよい。
【００２５】
本体１０の右下の領域には、時計部１２、スピーカー１３、及びスピーカー１４が設けられている。時計部１２は現在時刻を表示する。スピーカー１３、１４は、メロディ及び音声を出力する。このメロディ及び音声は、本体１０により予め録音されており再生される。
本体１０の上部には、使用者が把持可能な持ち運び用取っ手１５が装着される。
また、本体１０は、外部と通信を行うための不図示の無線通信部を備える。本体１０は、例えば、外部のパソコンとＬＡＮを通じて通信を行う。
【００２６】
服薬管理装置１は、基台１７を備えている。基台１７は、設置面に載置されて本体１０を支持する。基台１７は、側面視で台形状に形成されており、左右方向に延在している。基台１７の上面には、左右方向に延在する溝部２０が形成されている。本体１０は、基台１７から上方に向かって立設された板状のガイド版１９に沿うように配置される。本体１０は、基台１７の溝部２０に差し込まれることで、基台１７対して着脱可能に固定される。基台１７は本体１０の電源として機能する。
基台１７の下面には、吸着ゴム１６が備えられている。吸着ゴム１６は、本体１０が基台１７に差し込んで固定される状態で、服薬管理装置１が設置面に対して滑ることを防ぐ。
使用者は、図１の持ち運び用取っ手１５を掴んで持ち上げることで、本体１０を基台１７から取り外して持ち運ぶことが可能である。
【００２７】
図３は、本実施形態に係る服薬管理装置１のクリップの正面図である。
クリップ１１は、薬袋３０、及び薬袋３１を挟んだ状態で固定する。
薬袋３０、及び薬袋３１は、服薬者が指でつまんで下向きに引っ張ることで、容易にクリップ１１から取り外すことができる。クリップ１１は、平面視した時に薬袋３０と同程度の面積をもつ。これにより、クリップ１１は、薬袋３０、及び薬袋３１を挟んだ状態で、クリップ１１が薬袋３０、及び薬袋３１に加える圧力を分散させる。つまり、クリップ１１は、平面視したときに左右方向の長さが短い場合に比べて、薬袋３０、及び薬袋３１に加える圧力をより分散させることができる。これにより、クリップ１１は安定して薬袋３０、及び薬袋３１を安定して固定することができ、かつ、服薬者は薬袋３０、及び薬袋３１を容易にクリップ１１から取り外すことができる。
クリップ１１は、薬袋３０の上部を挟んで薬袋３０を固定する。薬袋３０の下部は、本体１０の正面の方向に露出する。これにより、薬袋３０がクリップ１１に挟まれた状態で、服薬者は、薬袋３０のラベルを確認することができる。
なお、図３においては、２袋の薬袋が、クリップ１１に挟まれて固定されている状態を示しているが、クリップ１１に挟まれる薬袋の数はこれに限らない。
クリップ１１には、カラーＬＥＤ１１１、及びカラーＬＥＤ１１２が設けられている。カラーＬＥＤ１１１、１１２は、桃色、黄色、緑色、及び赤色に点滅発光する。カラーＬＥＤ１１１、１１２の点滅発光のパターンは、１秒程度発光の状態を持続し、０．５秒程度発光をやめる状態を持続する動作を繰り返すものである。
なお、本実施形態においては、カラーＬＥＤ１１１、１１２が、桃色、黄色、緑色、及び赤色に点滅発光する場合を扱うが、高齢者などの服薬者にストレスを与えなければ、発光色は他の色であってもよい。また、カラーＬＥＤ１１１、１１２の点滅発光のパターンについても、同様に他のパターンであってもよい。
【００２８】
図４は、本実施形態に係る服薬管理装置１のクリップの側面図である。
クリップ１１は、薬袋３０が抜き取られたか否かを検知する、服薬剤検知器として機能する。
クリップ１１の下端部には、金属部１１３、及び金属部１１４が、クリップ１１が物を挟んでいない状態で互いに接するように設けられている。金属部１１３、及び金属部１１４は、回路Ｃ１を形成する。回路Ｃ１は、金属部１１３、及び金属部１１４が互いに接触した状態で導通する。一方、回路Ｃ１は、金属部１１３、及び金属部１１４が互いに離間した状態では導通しない。
クリップ１１が、薬袋３０を挟んで固定する状態において、金属部１１３と金属部１１４の間には薬袋３０がある。そのため、金属部１１３と金属部１１４とは、薬袋３０を介して互いに離間している。すなわち、回路Ｃ１は、クリップ１１が薬袋３０を挟持した状態において、導通していない。一方、金属部１１３と金属部１１４は、クリップ１１から薬袋３０が抜き取られた状態において互いに接する。すなわち、回路Ｃ１は、クリップ１１から薬袋３０が抜き取られた状態において導通する。
このように、クリップ１１は、薬袋３０が抜き取られたか否かを、自身に備えられた回路Ｃ１が導通しているか否かにより検知することができる。すなわち、クリップ１１は、服薬剤検知器として機能する。
【００２９】
図５は、本実施形態に係る服薬管理装置１の本体の下面図である。
本体１０の下面には、金属材料により形成された板状の本体電極２１、２２と、本体１０の下面から突出する突起２３と、が形成されている。
本体電極２１、及び本体電極２２は、本体１０が基台１７に差し込まれて固定される状態で、基台１７に設けられた基台側電極と接することで通電する。これにより、基台１７は本体１０の電源として機能する。
突起２３は、基台１７の溝部２０に設けられるくぼみ２６（図６参照）に差し込まれる。これにより、本体１０は、基台１７に差し込まれたとき、基台１７に対して左右方向にずれることが防止される。
【００３０】
図６は、本実施形態に係る服薬管理装置１の基台１７の上面図である。
図６に示すように、基台１７の溝部２０の底部には、基台側電極２４、２５、及びくぼみ２６が設けられている。基台側電極２４、及び基台側電極２５は、図５で示す本体電極２１、及び本体電極２２と各々接する。基台１７は、ＡＣアダプター差し込み口１８にＡＣアダプターが差し込まれることで、基台側電極２４、２５および本体電極２１、２２を通じて、本体１０に対して電力を供給することができる。これにより、基台１７は、本体１０の電源として機能する。
なお、本実施形態では、基台１７にＡＣアダプター差し込み口１８を設ける例を扱うが、充電式の電池を本体１０の電源として利用できるように、基台１７に充電式の電池の収納部を設けてもよい。
【００３１】
さて、通所介護サービスでは、要介護認定者が、介護施設に事業者の車両で日毎に通い、自宅と介護施設の間を往復する。このような要介護認定者は、一人暮らしの高齢者であることが多い。そのため、このような要介護認定者が、医療機関から処方された薬を自宅で服用する必要がある場合、服薬管理を自身で行う必要がある。
ところが、要介護認定者は、曜日や時間の感覚が曖昧になっている場合も多く、食事や服薬の時間の管理を自身で行うことは困難である。そのため、専任の看護師などの介護者が、服薬の時間管理をする必要がある。しかしながら、医療機関から処方される薬が１週間以上の場合、薬の種類や量が多くなる。それらの薬の管理は、介護者にとっても負担である。
【００３２】
服薬管理において、有資格介護者（有資格介護者とは、薬の状態にもよるが、原則看護師あるいは薬剤師を指す）は、薬を決められた時間に飲む薬を間違わず服薬者（一人暮らしの高齢者などの要介護認定者）に飲ませるか努力が必要である。有資格介護者は、処方箋に従って、決められた服薬時間に、服薬者に服薬の時間が来たことを知らせ、服薬者が服薬を完了したことを確認する。また、有資格介護者は、服薬者が間違った薬を服薬しようとしたり、服薬時間外に服薬をしようした場合、注意を促しそれらの行為を防ぐように努める。また、有資格介護者は、服薬者が服薬すべき薬の服薬を嫌がった場合においても、服薬者に服薬を促し、服薬を見届ける必要がある。
一方、有資格介護者は、上記のような服薬管理を行うにあたり、医療機関から処方される薬をいつ服薬させるか把握しておく必要がある。さらに、服薬管理においては、服薬者の一連の服薬行動を正確に記録し、担当医師などの管理者に提供することも必要となる。
【００３３】
本実施形態に係る服薬管理装置１は、以下で詳述するように、有資格介護者が一人暮らしの高齢者などの要介護認定者の介護を行うことをモデルとして、服薬者の服薬管理を助けるものである。また、服薬管理装置１は、有資格介護者の、服薬時間の把握、及び服薬の記録の作業の負担を軽減するものである。
【００３４】
服薬管理装置１の動作には、使用者に応じて３種類のモードがある。
１つ目のモードは、服薬者が自宅で、一人で服薬をするときに用いるモードである（服薬モードと呼ぶ）。服薬モードは、服薬者に、決められた服薬時間に正しい薬を服薬者に服薬させるためのモードである。
２つ目のモードは、有資格介護者が、クリップ１１から残薬を外すときに用いるモードである（残薬確認モードと呼ぶ）。残薬確認モードは、有資格介護者が、クリップ１１から残薬を外すときに服薬履歴を管理者に提供するためのモードである。ここで、管理者とは担当医師を指す。管理者である担当医師は、残薬情報と服薬者の症状を把握し、次回の処方を決める。残薬確認モードにより、管理者である担当医師は、服薬者の一連の服薬行動を正確に把握することができる。
３つ目のモードは、有資格介護者が服薬管理装置１に新薬を充填するときに用いるモードである（充填モードと呼ぶ）。充填モードは、有資格介護者が処方箋に従い、服薬管理装置１に新薬を充填するのを補助するためのモードである。
【００３５】
まず、服薬モードの概要について説明する。
服薬時間の情報は、１４個のクリップ１１の各々に設定されている。服薬管理装置１は、服薬時間のタイミングで、スピーカー１３、１４からメロディを出力し、服薬すべき薬の取り付けられているクリップのＬＥＤ１１１、１１２を桃色に点滅発光させる。これにより、服薬管理装置１は、服薬者に服薬時間が到来したことを報知する。また、同時に、服薬管理装置１は、１４個のクリップ１１のいずれに取り付けられている薬を服薬すべきかを、服薬者に報知する。
服薬時間の到来を服薬者に報知するのに、メロディとＬＥＤの点滅発光の両方の手段を用いるのは、服薬者として、例えば、高齢の要介護認定者を想定しているからである。服薬者は、服薬者が高齢の要介護認定者である場合、音のみ光のみのいずれか一方であると、それが服薬時間の到来を意味していることを認識できないことがある。
また、服薬者が、服薬者が誤ったクリップ１１の薬を取る場合や、服薬時間外に、薬を取る場合が考えらえる。服薬管理装置１は、各々の場合に応じて、スピーカー１３、１４から音声メッセージを出力し、ＬＥＤ１１１、１１２を黄色もしくは赤色に発光点滅させる。これらの処理の詳細については後述する。
【００３６】
次に、残薬確認モードの概要について説明する。
有資格介護者は、服薬者の自宅に設置された本体１０を、介護施設や医療施設へと持ち帰る。有資格介護者は、その際に、クリップ１１から薬袋３０、３１を取り外す。有資格介護者は、クリップ１１から薬袋３０、３１を取り外す前に、服薬履歴を抽出する。ここで服薬履歴とは、服薬者が服薬した服薬剤の種類を時刻とともに記録した情報である。服薬履歴については図１８で具体的に説明する。
管理者は、外部のパソコンにインストールされたソフトウェアを用いて、本体１０に服薬履歴の情報を示す服薬履歴情報を転送させる。
【００３７】
最後に、充填モードの概要について説明する。
有資格介護者は、本体１０のみを、服薬者の自宅から、介護施設や医療施設まで持ち帰る。基台１７は、服薬者の自宅に残される。有資格介護者は、介護施設や医療施設で、本体１０に新たな薬の充填を行う。有資格介護者は、クリップ１１に処方箋で指示される日数分、新たに薬袋を挟む。
有資格介護者は、外部のパソコンにインストールされたソフトウェアを用いて、服薬情報を本体１０に転送する。ここで、服薬情報とは、クリップ１１各々に挟まれる薬袋に入っている服薬剤の服薬時間、種類と量を示す情報である。本体１０は、無線通信部を通じて服薬情報を取得する。本体１０は、取得した服薬情報に基づき、何回分の服薬剤が必要であるかを判定する。本体１０は、判定結果に基づき、クリップ１１各々に不足なく薬袋が挟まれているかを検知する。本体１０は、クリップ１１各々に挟まれている薬袋の不足を検知した場合、音声メッセージとＬＥＤ１１１、１１２の発光点滅を用いて報知を行う。この処理についての詳細は後述する。
【００３８】
有資格介護者は、外部のパソコンにインストールされたソフトウェアを用いて、服薬管理装置１の３種類のモードの切り替え操作をすることができる。本体１０は、通信部を通じて、モードの切り替えを行うための信号を受信する。本体１０は、受信した信号に応じて、自身の動作のモードを切り替える。
【００３９】
図７は、本実施形態に係る服薬管理装置の構成を示す概略ブロック図である。
本体１０は、時計部５１、服薬剤有無検知部５２、通信部５３、制御部５４、記憶部５５、及び報知部５６を含んで構成される。
【００４０】
時計部５１は、現在時刻を計測し、制御部５４へ伝える。
なお、本実施形態においては、時計部５１が現在時刻を計測する例を扱うが、時計部５１の計測する時間はこれに限らない。例えば、時計部５１は、本体１０の電源が入ってから経過した時間を測定してもよい。
【００４１】
服薬剤有無検知部５２は、クリップ１１各々に薬袋３０、３１が挟まれているか否かを検知する。服薬剤有無検知部５２は、クリップ１１各々に備えられた回路Ｃ１が導通しているか否かにより検知を行う。服薬剤有無検知部５２は、検知結果から、服薬剤有無情報を取得し制御部５４へ伝える。ここで、服薬剤有無情報とは、クリップ１１に、薬袋３０、３１が挟まれているか否かについての情報を示す情報である。
【００４２】
記憶部５５は、制御部５４から服薬情報５５１を読み込み服薬情報テーブルに記憶する。ここで服薬情報５５１は、クリップ１１毎に挟まれている服薬剤の服薬時間、及び種類と量の情報をテーブルにしたものである。
記憶部５５は、報知パターン情報５５２を報知パターンテーブルに記憶する。ここで、報知パターン情報５５２は、警告もしくは報知の対象となる服薬者の行動毎に、音声伝達方法、可視伝達方法のパターンをテーブルにしたものである。
記憶部５５は、制御部５４から服薬履歴情報５５３を読み込み服薬履歴情報テーブルに記憶する。ここで、服薬履歴情報５５３については図１８で後述する。
なお、記憶部５５は、本体１０の外部に備えられた記憶装置であってもよい。
【００４３】
通信部５３は、服薬情報取得部５３１を含んで構成される。
通信部５３は、通信用インターフェイスを備え、外部のパソコンと無線通信を行う。
通信部５３は、外部のパソコンから、本体１０のモードの切り替えを行うための信号を受信し、制御部５４に伝える。通信部５３は、残薬確認モードにおいて、制御部５４から服薬履歴情報５５３を受け取り、外部のパソコンに転送する。
【００４４】
服薬情報取得部５３１は、充填モードにおいて、服薬情報５５１を取得する。
服薬情報取得部５３１は、制御部５４から服薬情報５５１を取得するための命令を受け取る。服薬情報取得部５３１は、命令を受け取った後、外部のパソコンから無線通信により服薬情報５５１を取得し制御部５４に伝える。服薬情報５５１の具体例については後述する。
なお、服薬情報取得部５３１が、服薬情報５５１を取得する方法は、外部のパソコンとの無線通信以外の方法であってもよい。例えば、服薬情報取得部５３１は、通信ではなくＵＳＢ接続により外部から服薬情報５５１を取得してもよい。
【００４５】
制御部５４は、時間管理部５４１、及び服薬情報管理部５４２を含んで構成される。
制御部５４は、服薬情報５５１、服薬剤有無情報、現在時刻に基づいて、報知内容を示す報知パターンを選択する。制御部５４は、選択した報知パターンを記憶部５５から呼び出し、報知部５６に伝える。また、制御部５４は、選択した報知内容を時刻とともに記憶部５５に記録する。
【００４６】
時間管理部５４１は、クリップ１１毎に現在時刻が服薬時間を超えているか否かを判定する。
時間管理部５４１は、時計部５１から現在時刻の情報を受け取る。時間管理部５４１は、記憶部５５から、服薬情報５５１を受け取る。時間管理部５４１は、服薬情報５５１から、クリップ１１毎の服薬時間を取得する。時間管理部５４１は、現在時刻と服薬時間を比較し、クリップ１１毎に服薬時間が到来しているか否かを判定する。時間管理部５４１は、判定結果を服薬時間判定結果として服薬情報管理部５４２に渡す。
また、時間管理部５４１は、現在時刻と服薬時間を比較し、クリップ１１毎に、現在時刻が重複薬の危険のある時間に到達しているものがあるか否かを判定する。ここで、重複薬の危険のある時間とは、例えば次回の服薬時間の１時間前である。重複薬の危険のある時間は、服薬剤の種類に応じて変わる。時間管理部５４１は、判定結果を服薬時間範囲経過情報として服薬情報管理部５４２に渡す。
【００４７】
服薬情報管理部５４２は、服薬時間判定結果、及び服薬剤有無情報に基づいて、報知パターンを選択する。
まず、服薬モードにおける服薬情報管理部５４２の動作を説明する。
服薬情報管理部５４２は、時間管理部５４１から服薬時間判定結果を受け取る。服薬情報管理部５４２は、服薬剤有無検知部５２から服薬剤有無情報を受け取る。服薬情報管理部５４２は、服薬時間判定結果と服薬剤有無情報に基づき、クリップ１１毎に服薬時間が到来している服薬剤はないか、服薬時間が到来していない服薬剤で挟まれていないものはないかなどを判定する。服薬情報管理部５４２は、判定結果に基づき警告もしくは報知の対象となる服薬者の行動を判定する。警告（報知）対象行動の具体例は後述する。
服薬情報管理部５４２は、判定結果に基づき報知パターンを選択し、記憶部５５に記憶される報知パターン情報５５２の中から対応する報知パターンを読み込む。服薬情報管理部５４２は、読み込んだ報知パターン情報を報知部５６に渡す。報知パターンの詳細については後述する。
また、服薬情報管理部５４２は、現在時刻と服薬行動情報を、服薬履歴情報５５３として記憶部５５に渡す。ここで、服薬行動情報は、服薬時間到来後に、服薬すべき服薬剤の入った薬袋３０、３１がクリップ１１から取り外された場合に生成される。服薬行動情報は、服薬情報５５１に基づく服薬剤の種類についての情報を表す。
【００４８】
次に、残薬確認モードにおける服薬情報管理部５４２の動作を説明する。
服薬情報管理部５４２は、記憶部５５から服薬履歴情報５５３を読み込み、通信部５３に渡す。
服薬情報管理部５４２は、クリップ１１から薬袋３０、３１が少なくとも１つ取り外された場合、服薬履歴情報５５３を通信部５３に渡したか否か判定する。服薬情報管理部５４２は、判定結果に基づき報知パターンを選択し、記憶部５５に記憶される報知パターン情報５５２の中から対応する報知パターンを読み込む。服薬情報管理部５４２は、読み込んだ報知パターン情報を報知部５６に渡す。この処理内容の詳細については後述する。
【００４９】
次に、充填モードにおける服薬情報管理部５４２の動作を説明する。
服薬情報管理部５４２は、服薬剤有無検知部５２から服薬剤有無情報を読み込む。服薬情報管理部５４２は、服薬剤有無情報に基づいて全てのクリップ１１に薬袋３０、３１が挟まれているか否か判定する。服薬情報管理部５４２は、全てのクリップ１１に薬袋３０、３１が挟まれていると判定した場合、服薬情報取得部５３１に服薬情報５５１を取得するための命令を送る。その後、服薬情報管理部５４２は、服薬情報取得部５３１から服薬情報５５１を読み込む。
服薬情報管理部５４２は、服薬情報５５１に全てのクリップ１１についての服薬時間の情報が格納されているか否かを判定する。また、服薬剤有無情報に基づいて全てのクリップ１１に薬袋３０、３１が挟まれているか否か再度判定する。服薬情報管理部５４２は、各々の判定結果に基づき報知パターンを選択し、記憶部５５に記憶される報知パターン情報５５２の中から対応する報知パターンを読み込む。服薬情報管理部５４２は、読み込んだ報知パターン情報を報知部５６に渡す。この処理内容の詳細については後述する。
服薬情報管理部５４２は、読み込んだ服薬情報５５１を記憶部５５に渡す。
【００５０】
報知部５６は、ＬＥＤ５６１、及びスピーカー５６２を含んで構成される。
報知部５６は、制御部５４から読み込んだ報知パターンに基づいてＬＥＤ５６１、及びスピーカー５６２を用いて報知を行う。すなわち、報知部５６は、読み込んだ報知パターンに基づき報知を行う。報知パターンの詳細については後述する。
ＬＥＤ５６１は、クリップ１１に設けられたカラーＬＥＤ１１１、１１２である。
スピーカー５６２は、本体１０に設けられたスピーカー１３、１４である。
【００５１】
図８は、本実施形態に係る服薬情報５５１の一例を示す図である。
図示するように、服薬情報テーブルは、クリップ番号、服薬時間、及び服薬剤の各項目の行を有している。服薬情報テーブルは、クリップ番号毎に、各々のクリップ１１に挟まれる薬袋３０、３１に入っている服薬剤の服薬時間、及び服薬剤の種類と量が格納される行と列からなる２次元の表形式のデータである。朝と夜の１日２回、１週間分の服薬時間、及び服薬剤の種類と量が格納されている。
クリップ番号は、本体１０の左上のクリップ１１に番号１を割り当て、順に右へ番号２、３、４を割り当てる。番号１のクリップ１１より一段下の左端のクリップ１１に番号５を割り当て、右へ番号６、７、８を割り当てる。同様にして、番号１４までをクリップ１１に割り当てる。
１行目は、番号１のクリップ１１に対応する服薬剤Ａ２錠を、服薬時間２０１６年２月２６日７時３０分０秒に服薬すべきことを示している。また、２行目は、番号２のクリップ１１に対応する服薬剤Ａ２錠、服薬剤Ｂ１錠を、服薬時間２０１６年２月２６日１８時３０分０秒に服薬すべきことを示している。これ以降の行についても同様である。
【００５２】
図９は、本実施形態に係る服薬管理装置の光を用いた報知パターンの一例を示す図である。
報知パターン番号１は、ＬＥＤ５６１の桃色の発光点滅が、ある時刻において服薬すべき服薬剤の位置を示すことを示している。
報知パターン番号２は、ＬＥＤ５６１の黄色の発光点滅が、ある時刻において服薬すべきでない服薬剤の位置を示すことを示している。また、報知パターン番号２は、ＬＥＤ５６１の黄色の発光点滅が、あるいは、誤った位置に服薬剤があることを示すことを示している。ここで、ある時刻において服薬すべきでない服薬剤の入った薬袋３０、３１がクリップ１１から取り外されたとしても、当該薬袋３０、３１がクリップ１１に再び挟まれれば、後続作業には影響しない。また、誤った位置に服薬剤があるとは、例えば、クリップ１１から一度取り外された薬袋３０、３１が再びクリップ１１に挟まれることを指す。誤った位置に服薬剤があることは、後続作業には影響しない。
報知パターン番号３は、ＬＥＤ５６１の緑色の発光点滅が、操作の完了を示すことを示している。ここで操作の完了とは、服薬が全て正しく完了したことを指す。
報知パターン番号４は、ＬＥＤ５６１の赤色の発光点滅が、致命的なエラーの発生を示すことを示している。ここで、致命的なエラーとは、後続の作業に問題を及ぼす危険性のあるエラーを指す。
【００５３】
図１０は、本実施形態に係る服薬管理装置の音を用いた報知パターンの一例を示す図である。
報知パターン番号１は、スピーカー５６２からメロディが再生されることが、服薬時間の到来を示すことを示している。メロディは１回のみ再生される。
服薬者は、服薬時間が到来した際、本体１０に予め録音されたメロディを聴く。メロディは、例えばオルゴールメロディである。
また、毎服薬時間毎に同一のメロディが再生される。服薬者は、条件反射効果により、前記メロディを聴くことで、服薬時間の到来を認識するようになることが期待される。条件反射効果は、服薬者が特に認知症の患者であった場合でも、有効であることが期待される。
【００５４】
図１１は、本実施形態に係る服薬モードにおける報知パターンの一例を示す図である。
図示するように、報知パターンテーブルは、報知パターン番号、報知の対象者、報知あるいは警告の対象行動、音声伝達方法、可視伝達方法が格納される行と列からなる２次元の表形式のデータである。音声伝達方法の行は、伝達方法と、伝達内容または伝達方法の行からなる。可視伝達方法は、伝達方法と、表示方法の行からなる。
【００５５】
報知パターン１は、服薬者が、服薬時間の到来前にクリップ１１から薬袋３０、３１を取り外した場合の報知パターンを示している。
報知パターン１が選択された場合、スピーカー５６２は「薬の時間はまだです。元に戻してください。」という音声によるメッセージを出力する。同時に、薬袋３０、３１の取り外されたクリップ１１のＬＥＤ５６１は赤色に点滅する。
【００５６】
報知パターン２は、服薬時間が到来した場合の報知パターンを示している。
報知パターン２が選択された場合、スピーカー５６２は、オルゴールメロディを１０秒未満の間、１回のみ出力する。同時に、服薬時間の到来した服薬剤に対応するクリップ１１のＬＥＤ５６１は桃色に点滅する。この場合、クリップ１１のＬＥＤ５６１は、当該クリップ１１から薬袋３０、３１が取り外されるまでの間継続して桃色に点滅する。
【００５７】
報知パターン３は、服薬時間が到来した後、服薬時間の到来した服薬剤に対応するクリップ１１から薬袋３０、３１が取り外された場合の報知パターンを示している。
報知パターン３が選択された場合、当該クリップ１１のＬＥＤ５６１は、２秒から３秒の間、緑色に点滅する。
【００５８】
報知パターン４は、服薬時間の範囲を経過した場合の報知パターンを示している。
ここで、服薬時間の範囲の経過とは、服薬時間の到来した服薬剤に対応するクリップ１１から薬袋３０、３１が取り外されていない状態で、次回の服薬時間の、例えば１時間前になってしまうことを指す。報知パターン４が選択された場合、当該クリップ１１のＬＥＤ５６１は、次回の服薬時間が到来するまでの間継続して、黄色に点滅する。
なお、次回の服薬時間のどのぐらい前までを服薬時間の範囲の経過とするか、服薬剤の種類に応じて報知パターン情報５５２は変更される。
【００５９】
ここで、服薬時間の範囲を経過した場合に、服薬者に服薬時間の範囲が経過したことを報知する必要があることについて説明する。服薬剤は、服薬後に服薬者の体内で溶け、一定の時間後に一定の血中濃度を保つように計算され調合されている。そのため、服薬者が十分な時間をおかずに重複して服薬した場合、血中濃度が一定値を超え副作用を起こす原因となり得る。報知パターン４は、この重複薬の問題を避けることを意図するものである。
【００６０】
報知パターン５は、服薬時間の範囲を経過した場合に、服薬者が、服薬時間の範囲を経過した服薬剤に対応するクリップ１１から薬袋３０、３１を取り外した場合の報知パターンを示している。
報知パターン５が選択された場合、スピーカー５６２は、「服薬時間が過ぎました」という音声によるメッセージを出力する。同時に、服薬時間の範囲を経過した服薬剤に対応するクリップ１１のＬＥＤ５６１は、当該クリップ１１に薬袋３０、３１が挟まれるまでの間継続して赤色に点滅する。
【００６１】
報知パターン６は、服薬時間が到来した後、服薬時間の到来していない服薬剤に対応するクリップ１１から薬袋３０、３１が取り外された場合の報知パターンを示している。
報知パターン６が選択された場合、スピーカー５６２は、「間違った薬を取りました」という音声によるメッセージを１０回繰り返して出力する。ただし、スピーカー５６２は、薬袋３０、３１の取り外されたクリップ１１に薬袋３０、３１が挟まれた場合、メッセージの出力を停止する。
一方、薬袋３０、３１の取り外されたクリップ１１のＬＥＤ５６１は、当該クリップ１１に薬袋３０、３１が挟まれるまでの間継続して黄色に点滅する。この状態で、服薬時間の到来した服薬剤に対応するクリップ１１のＬＥＤ５６１は桃色に点滅している（報知パターン２参照）。つまり、当該クリップ１１に薬袋３０、３１が挟まれるまでの間、２カ所のクリップ１１のＬＥＤ５６１が、一方は黄色に、他方は桃色に継続して点滅する。
【００６２】
報知パターン７は、服薬時間が到来した後、服薬時間の到来した服薬剤に対応するクリップ１１から薬袋３０、３１が取り外された後、当該クリップ１１に再び薬袋３０、３１が挟まれた場合の報知パターンを示している。
報知パターン７が選択された場合、スピーカー５６２は、「袋を戻さないでください」という音声によるメッセージを出力する。同時に、当該クリップ１１のＬＥＤ５６１は、２秒から３秒の間、黄色に点滅する。
【００６３】
図１２は、本実施形態に係る服薬モードにおける服薬管理装置の処理の一例を示すフローチャートである。
本フローチャートに示す処理は、制御部５４が、本体１０のモードを服薬モードに切り替えるための信号を、通信部５３から読み込んだ際に開始される。
【００６４】
（ステップＳ１０１）制御部５４は、全てのＬＥＤ５６１を消灯し、その後ステップＳ１０１に処理を進める。
【００６５】
（ステップＳ１０２）時間管理部５４１は、時計部５１から現在時刻の情報を受け取る。時間管理部５４１は、現在時刻と服薬時間を比較し、クリップ１１毎に服薬時間が到来しているか否かを判定する。ただし、時間管理部５４１は、後述するステップＳ１１８において、記憶部５５から服薬情報５５１を受け取っている。
服薬情報管理部５４２は、時間管理部５４１から服薬時間判定結果を受け取る。服薬情報管理部５４２は、服薬剤有無検知部５２から服薬剤有無情報を受け取る。服薬情報管理部５４２は、服薬剤有無情報、及び服薬時間判定結果に基づき、クリップ１１毎に服薬時間が到来している服薬剤はないか、服薬時間が到来していない服薬剤で挟まれていないものはないか判定する。
服薬情報管理部５４２は、服薬時間の到来している服薬剤があると判定した場合（ＹＥＳ）、図１１で示した報知パターン２を選択する。服薬情報管理部５４２は、記憶部５５に記憶される報知パターン情報５５２の中から対応する報知パターン２を読み込む。服薬情報管理部５４２は、読み込んだ報知パターン２を報知部５６に渡す。服薬情報管理部５４２は、その後処理をステップＳ１０４に進める。
一方、服薬情報管理部５４２は、服薬時間の到来している服薬剤がないと判定した場合（ＮＯ）、処理をステップＳ１０３に進める。
【００６６】
（ステップＳ１０３）服薬情報管理部５４２は、後述する図１３で示す服薬時間外服薬防止処理を行い、その後ステップＳ１０２に処理を進める。
【００６７】
（ステップＳ１０４）報知部５６は、服薬情報管理部５４２から読み込んだ報知パターン２に基づき報知を行う。報知部５６は、その後ステップＳ１０５に処理を進める。
【００６８】
（ステップＳ１０５）時間管理部５４１は、時計部５１から現在時刻の情報を受け取る。時間管理部５４１は、現在時刻が次回の服薬時間の１時間前に到達しているものがあるか否かを判定する。時間管理部５４１は、判定結果を服薬時間範囲経過情報として服薬情報管理部５４２に渡す。
服薬情報管理部５４２は、時間管理部５４１から服薬時間範囲経過情報を受け取る。服薬情報管理部５４２は、服薬時間判定結果に基づき、服薬時間の到来した服薬剤について、服薬時間の範囲を経過しているか否か判定する。
服薬情報管理部５４２は、服薬時間の到来した服薬剤について、服薬時間の範囲を経過していると判定した場合（ＹＥＳ）、服薬情報管理部５４２は、記憶部５５に記憶される報知パターン情報５５２の中から対応する報知パターン４を読み込む。服薬情報管理部５４２は、読み込んだ報知パターン４を報知部５６に渡す。その後、服薬情報管理部５４２は、ステップＳ１０６に処理を進める。
一方、服薬時間の到来した服薬剤について、服薬時間の範囲を経過していないと判定した場合（ＮＯ）、服薬情報管理部５４２は、処理をステップＳ１０７に進める。
【００６９】
（ステップＳ１０６）服薬情報管理部５４２は、後述する図１４で示す重複薬防止処理を行い、その後ステップＳ１１７に処理を進める。
【００７０】
（ステップＳ１０７）服薬情報管理部５４２は、服薬剤有無検知部５２から服薬剤有無情報を受け取る。服薬情報管理部５４２は、服薬剤有無情報に基づき、クリップ１１のいずれかから薬袋３０、３１が取り外されたか否か判定する。
服薬情報管理部５４２は、クリップ１１のいずれかから薬袋３０、３１が取り外されたと判定した場合（ＹＥＳ）、ステップＳ１０９に処理を進める。一方、クリップ１１のいずれかから薬袋３０、３１が取り外されていないと判定した場合（ＮＯ）、服薬情報管理部５４２は、処理をステップＳ１０８に進める。
【００７１】
（ステップＳ１０８）報知部５６は、服薬時間の到来した服薬剤に対応するクリップ１１のＬＥＤ５６１を桃色に点滅させる処理を継続する。報知部５６は、その後ステップＳ１０５に処理を進める。
【００７２】
（ステップＳ１０９）服薬情報管理部５４２は、服薬剤有無情報に基づき、服薬時間の到来した服薬剤に対応するクリップ１１に薬袋３０、３１が挟まれているか否か判定する。
服薬情報管理部５４２は、服薬時間の到来した服薬剤に対応するクリップ１１に薬袋３０、３１が挟まれていないと判定した場合（ＹＥＳ）、服薬情報管理部５４２は、記憶部５５に記憶される報知パターン情報５５２の中から対応する報知パターン３を読み込む。服薬情報管理部５４２は、読み込んだ報知パターン３を報知部５６に渡す。その後、服薬情報管理部５４２は、ステップＳ１１３に処理を進める。
一方、服薬時間の到来した服薬剤に対応するクリップ１１に薬袋３０、３１が挟まれていると判定した場合（ＮＯ）、服薬情報管理部５４２は、記憶部５５に記憶される報知パターン情報５５２の中から対応する報知パターン６を読み込む。服薬情報管理部５４２は、読み込んだ報知パターン６を報知部５６に渡す。服薬情報管理部５４２は、その後処理をステップＳ１１０に進める。
【００７３】
（ステップＳ１１０）報知部５６は、服薬情報管理部５４２から読み込んだ報知パターン６に基づき報知を行う。その後、服薬情報管理部５４２は、処理をステップＳ１１１に進める。
【００７４】
（ステップＳ１１１）服薬情報管理部５４２は、報知部５６が、スピーカー５６２から報知パターン６で示される音声によるメッセージを１０回以上出力したか否か判定する。服薬情報管理部５４２は、報知部５６が、スピーカー５６２から報知パターン６で示される音声によるメッセージを１０回以上出力したと判定した場合（ＹＥＳ）、ステップＳ１１４に処理を進める。一方、スピーカー５６２から報知パターン６で示される音声によるメッセージを１０回以上出力したと判定しなかった場合（ＮＯ）、服薬情報管理部５４２は、ステップＳ１１２に処理を進める。
【００７５】
（ステップＳ１１２）服薬情報管理部５４２は、服薬剤有無検知部５２から服薬剤有無情報を受け取る。服薬情報管理部５４２は、服薬剤有無情報に基づき、一度取り外された薬袋３０、３１がクリップ１１に戻されている（挟まれている）か否か判定する。服薬情報管理部５４２は、一度取り外された薬袋３０、３１がクリップ１１に戻されていると判定した場合（ＹＥＳ）、ステップＳ１０５に処理を進める。一方、一度取り外された薬袋３０、３１がクリップ１１に戻されていないと判定した場合（ＮＯ）、服薬情報管理部５４２は、ステップＳ１１０に処理を進める。
【００７６】
（ステップＳ１１３）報知部５６は、服薬情報管理部５４２から読み込んだ報知パターン３に基づき報知を行う。
【００７７】
（ステップＳ１１４）服薬情報管理部５４２は、現在時刻と服薬行動情報を、服薬履歴情報５５３として記憶部５５に渡す。記憶部５５は、制御部５４から服薬履歴情報５５３を読み込み服薬履歴情報テーブルに記憶する。その後、服薬情報管理部５４２は、ステップＳ１１５に処理を進める。
【００７８】
（ステップＳ１１５）服薬情報管理部５４２は、服薬剤有無検知部５２から服薬剤有無情報を受け取る。服薬剤有無情報に基づき、一度取り外された薬袋３０、３１がクリップ１１に戻されている（挟まれている）か否か判定する。
服薬情報管理部５４２は、一度取り外された薬袋３０、３１がクリップ１１に戻されていると判定した場合（ＹＥＳ）、服薬情報管理部５４２は、記憶部５５に記憶される報知パターン情報５５２の中から対応する報知パターン７を読み込む。服薬情報管理部５４２は、読み込んだ報知パターン７を報知部５６に渡す。その後、服薬情報管理部５４２は、ステップＳ１１６に処理を進める。
一方、一度取り外された薬袋３０、３１がクリップ１１に戻されていないと判定した場合（ＮＯ）、服薬情報管理部５４２は、ステップＳ１１７に処理を進める。
【００７９】
（ステップＳ１１６）報知部５６は、服薬情報管理部５４２から読み込んだ報知パターン７に基づき報知を行う。その後、服薬情報管理部５４２は、処理をステップＳ１１７に進める。
【００８０】
（ステップＳ１１７）服薬情報管理部５４２は、時間管理部５４１から服薬時間判定結果を受け取る。服薬情報管理部５４２は、服薬時間判定結果に基づき、服薬時間の到来していない服薬剤があるか否かを判定する。服薬情報管理部５４２は、服薬時間の到来していない服薬剤があると判定した場合（ＹＥＳ）、服薬情報管理部５４２は、ステップＳ１１８に処理を進める。一方、服薬時間の到来していない服薬剤がないと判定した場合（ＮＯ）、服薬情報管理部５４２は、ステップＳ１１７の処理を終了する。
【００８１】
（ステップＳ１１８）時間管理部５４１は、記憶部５５から、服薬情報５５１を受け取り、その後ステップＳ１０１に処理を進める。
【００８２】
図１３は、本実施形態に係る服薬モードにおける服薬管理装置の服薬時間外服薬防止処理の一例を示すフローチャートである。
本フローチャートに示す処理は、図１２で示すフローチャートのステップＳ１０２において、服薬情報管理部５４２が、服薬時間の到来している服薬剤がないと判定した際に開始する。
【００８３】
（ステップＳ１０３１）服薬情報管理部５４２は、服薬剤有無検知部５２から服薬剤有無情報を受け取る。服薬情報管理部５４２は、服薬剤有無情報に基づき、服薬時間の到来していない服薬剤に対応するクリップ１１から薬袋３０、３１が取り外されたか否か判定する。
服薬情報管理部５４２は、服薬時間の到来していない服薬剤に対応するクリップ１１から薬袋３０、３１が取り外された場合（ＹＥＳ）、服薬情報管理部５４２は、記憶部５５に記憶される報知パターン情報５５２の中から対応する報知パターン１を読み込む。服薬情報管理部５４２は、読み込んだ報知パターン１を報知部５６に渡す。その後、服薬情報管理部５４２は、ステップＳ１０３２に処理を進める。
一方、服薬時間の到来していない服薬剤に対応するクリップ１１から薬袋３０、３１が取り外されていない場合（ＮＯ）、ステップＳ１０３５に処理を進める。
【００８４】
（ステップＳ１０３２）報知部５６は、服薬情報管理部５４２から読み込んだ報知パターン１に基づき報知を行う。その後、服薬情報管理部５４２は、処理をステップＳ１０３３に進める。
【００８５】
（ステップＳ１０３３）服薬情報管理部５４２は、報知部５６が、スピーカー５６２から報知パターン１で示される音声によるメッセージを１０回以上出力したか否か判定する。服薬情報管理部５４２は、報知部５６が、スピーカー５６２から報知パターン１で示される音声によるメッセージを１０回以上出力したと判定した場合（ＹＥＳ）、ステップＳ１０３５に処理を進める。一方、スピーカー５６２から報知パターン１で示される音声によるメッセージを１０回以上出力したと判定しなかった場合（ＮＯ）、服薬情報管理部５４２は、ステップＳ１０３４に処理を進める。
【００８６】
（ステップＳ１０３４）服薬情報管理部５４２は、服薬剤有無検知部５２から服薬剤有無情報を受け取る。服薬情報管理部５４２は、服薬剤有無情報に基づき、一度取り外された薬袋３０、３１がクリップ１１に戻されている（挟まれている）か否か判定する。服薬情報管理部５４２は、一度取り外された薬袋３０、３１がクリップ１１に戻されていると判定した場合（ＹＥＳ）、ステップＳ１０３５に処理を進める。一方、一度取り外された薬袋３０、３１がクリップ１１に戻されていないと判定した場合（ＮＯ）、服薬情報管理部５４２は、ステップＳ１０３１に処理を進める。
【００８７】
（ステップＳ１０３５）時間管理部５４１は、時計部５１から現在時刻の情報を受け取り、ステップＳ１０３５の処理を終了する。
【００８８】
図１４は、本実施形態に係る服薬モードにおける服薬管理装置の重複薬防止処理の一例を示すフローチャートである。
本フローチャートに示す処理は、図１２で示すフローチャートのステップＳ１０５において、服薬情報管理部５４２が、服薬時間の到来した服薬剤について、服薬時間の範囲を経過していると判定した際に開始する。
【００８９】
（ステップＳ１０９１）報知部５６は、服薬情報管理部５４２から読み込んだ報知パターン４に基づき報知を行う。報知部５６は、その後ステップＳ１０９２に処理を進める。
【００９０】
（ステップＳ１０９２）服薬情報管理部５４２は、服薬剤有無検知部５２から服薬剤有無情報を受け取る。服薬情報管理部５４２は、服薬剤有無情報に基づき、服薬時間の範囲を経過している服薬剤に対応するクリップ１１から薬袋３０、３１が取り外されたか否か判定する。
服薬情報管理部５４２は、服薬時間の範囲を経過している服薬剤に対応するクリップ１１から薬袋３０、３１が取り外された場合（ＹＥＳ）、服薬情報管理部５４２は、記憶部５５に記憶される報知パターン情報５５２の中から対応する報知パターン５を読み込む。服薬情報管理部５４２は、読み込んだ報知パターン５を報知部５６に渡す。その後、服薬情報管理部５４２は、ステップＳ１０９３に処理を進める。
一方、服薬時間の範囲を経過している服薬剤に対応するクリップ１１から薬袋３０、３１が取り外されていない場合（ＮＯ）、服薬情報管理部５４２は、ステップＳ１０９４に処理を進める。
【００９１】
（ステップＳ１０９３）報知部５６は、服薬情報管理部５４２から読み込んだ報知パターン５に基づき報知を行う。報知部５６は、その後ステップＳ１０９１に処理を進める。
【００９２】
（ステップＳ１０９４）時間管理部５４１は、時計部５１から現在時刻の情報を受け取る。時間管理部５４１は、クリップ１１毎に次回の服薬時間が到来しているか否かを判定する。
服薬情報管理部５４２は、時間管理部５４１から服薬時間判定結果を受け取る。服薬情報管理部５４２は、次回の服薬時間が到来している場合（ＹＥＳ）、ステップＳ１０９４の処理を終了する。一方、次回の服薬時間が到来していない場合（ＮＯ）、服薬情報管理部５４２は、ステップＳ１０９１に処理を進める。
【００９３】
図１５は、本実施形態に係る残薬確認モードにおける報知パターンの一例を示す図である。
図示するように、報知パターンテーブルは、報知パターン番号、報知の対象者、報知あるいは警告の対象行動、音声伝達方法、可視伝達方法が格納される行と列からなる２次元の表形式のデータである。音声伝達方法の行は、伝達方法と、伝達内容または伝達方法の行からなる。可視伝達方法は、伝達方法と、表示方法の行からなる。
【００９４】
報知パターン８は、残薬確認者である有資格介護者が、服薬履歴を転送せずにクリップ１１に挟まれている薬袋３０、３１を取り外した場合の報知パターンを示している。
報知パターン８が選択された場合、スピーカー５６２は「先に服薬履歴を転送してください」という音声によるメッセージを出力する。同時に、薬袋３０、３１の取り外されたクリップ１１のＬＥＤ５６１は赤色に点滅する。
【００９５】
報知パターン９は、残薬確認者である有資格介護者が、服薬履歴を転送せずにクリップ１１に薬袋３０、３１を挟んだ場合の報知パターンを示している。
報知パターン９が選択された場合、スピーカー５６２は「先に服薬履歴を転送してください」という音声によるメッセージを出力する。同時に、薬袋３０、３１の挟まれたクリップ１１のＬＥＤ５６１は赤色に点滅する。
【００９６】
図１６は、本実施形態に係る残薬確認モードにおける服薬管理装置の処理の一例を示すフローチャートである。
本フローチャートに示す処理は、制御部５４が、本体１０のモードを残薬確認モードに切り替えるための信号を、通信部５３から読み込んだ際に開始される。
【００９７】
（ステップＳ２０１）残薬確認者がクリップ１１に挟まれている残薬の入った薬袋３０、３１を取り外す。その後、服薬情報管理部５４２はステップＳ２０２に処理を進める。
【００９８】
（ステップＳ２０２）服薬情報管理部５４２は、服薬履歴情報５５３を通信部５３に渡している場合（ＹＥＳ）、ステップＳ２０５に処理を進める。一方、服薬履歴情報５５３を通信部５３に渡していない場合（ＮＯ）、服薬情報管理部５４２は、記憶部５５に記憶される報知パターン情報５５２の中から対応する報知パターン８を読み込む。服薬情報管理部５４２は、読み込んだ報知パターン８を報知部５６に渡す。その後、服薬情報管理部５４２は、ステップＳ２０３に処理を進める。
【００９９】
（ステップＳ２０３）報知部５６は、服薬情報管理部５４２から読み込んだ報知パターン８に基づき報知を行う。その後、服薬情報管理部５４２は、ステップＳ２０４に処理を進める。
【０１００】
（ステップＳ２０４）服薬情報管理部５４２は、服薬履歴情報５５３を通信部５３に渡す。通信部５３は、残薬確認モードにおいて、制御部５４から服薬履歴情報５５３を受け取り、外部のパソコンに転送する。その後、服薬情報管理部５４２は、ステップＳ２０５に処理を進める。
【０１０１】
（ステップＳ２０５）服薬情報管理部５４２は、服薬剤有無検知部５２から服薬剤有無情報を受け取る。服薬情報管理部５４２は、服薬剤有無情報に基づき、全てのクリップ１１から薬袋３０、３１が取り外されているか否か判定する。服薬情報管理部５４２は、全てのクリップ１１から薬袋３０、３１が取り外されていると判定した場合（ＹＥＳ）、ステップＳ２０５の処理を終了する。一方、全てのクリップ１１から薬袋３０、３１が取り外されていないと判定した場合（ＮＯ）、服薬情報管理部５４２は、ステップＳ２０１に処理を進める。
【０１０２】
なお、残薬確認者が、ステップＳ２０１において、クリップ１１に新たに薬袋３０、３１を挟んだ場合についても、図１６で示すフローチャートと同様の処理が行われる。その場合、服薬情報管理部５４２はステップＳ２０２に処理を進める。ただし、ステップＳ２０２において、服薬履歴情報５５３を通信部５３に渡していない場合、服薬情報管理部５４２は、記憶部５５に記憶される報知パターン情報５５２の中から対応する報知パターン９を読み込む。服薬情報管理部５４２は、読み込んだ報知パターン９を報知部５６に渡す。報知部５６は、服薬情報管理部５４２から読み込んだ報知パターン９に基づき報知を行う。
【０１０３】
図１７は、本実施形態に係る充填モードにおける報知パターンの一例を示す図である。
図示するように、報知パターンテーブルは、報知パターン番号、報知の対象者、報知あるいは警告の対象行動、音声伝達方法、可視伝達方法が格納される行と列からなる２次元の表形式のデータである。音声伝達方法の行は、伝達方法と、伝達内容または伝達方法の行からなる。可視伝達方法は、伝達方法と、表示方法の行からなる。
【０１０４】
報知パターン１０は、薬充填者である有資格介護者に、服薬情報５５１を転送していないことを報知するための報知パターンを示している。
報知パターン１０が選択された場合、スピーカー５６２は「服薬情報が転送されていません」という音声によるメッセージを出力する。
【０１０５】
報知パターン１１は、薬充填者である有資格介護者に、全てのクリップ１１に薬袋３０、３１が挟まれているが、服薬情報５５１が設定されていないものがあることを報知するための報知パターンを示している。
報知パターン１１が選択された場合、スピーカー５６２は「服薬情報が未設定です」という音声によるメッセージを出力する。同時に、服薬情報５５１のないクリップ１１のＬＥＤ５６１は赤色に点滅する。
【０１０６】
報知パターン１２は、薬充填者である有資格介護者に、全てのクリップ１１に服薬情報５５１が設定されているが、薬袋３０、３１の挟まれていないクリップ１１があることを報知するための報知パターンを示している。
報知パターン１２が選択された場合、スピーカー５６２は「薬を充填してください」という音声によるメッセージを出力する。同時に、薬袋３０、３１の挟まれていないクリップ１１のＬＥＤ５６１は黄色に点滅する。
【０１０７】
図１８は、本実施形態に係る服薬履歴情報の一例を示す図である。
図示するように、服薬履歴情報テーブルは、服薬時間、及び服薬剤の各項目の行を有している。服薬履歴情報テーブルは、服薬時間毎に、服薬者により服薬時間の範囲内に服薬された服薬剤の種類と量が格納される行と列からなる２次元の表形式のデータである。ここで、服薬者により服薬時間に服薬された服薬剤とは、服薬時間の範囲内に、対応するクリップ１１から薬袋３０、３１が取り外された服薬剤のことを指す。服薬履歴情報テーブルには、朝と夜の１日２回、１週間分の服薬履歴が格納されている。
【０１０８】
１行目は、服薬者が、服薬剤Ａ２錠を、服薬時間の範囲内である２０１６年２月２６日７時３０分０秒に服薬したことを示している。また、２行目は、服薬剤Ａ２錠、服薬剤Ｂ１錠を、服薬時間の範囲内である２０１６年２月２６日１８時３０分０秒に服薬したことを示している。これ以降の行についても同様である。
ただし、１２行目では、服薬時間が２０１６年３月２日１８時３０分０秒である場合に、服薬が服薬時間の範囲内に完了しなかったことを示している。
【０１０９】
図１９は、本実施形態に係る充填モードにおける服薬管理装置の処理の一例を示すフローチャートである。
本フローチャートに示す処理は、制御部５４が、本体１０のモードを充填モードに切り替えるための信号を、通信部５３から読み込んだ際に開始される。
【０１１０】
（ステップＳ３０１）薬充填者である有資格介護者が、薬袋３０、３１をクリップ１１に挟む。その後、服薬情報管理部５４２はステップＳ３０２に処理を進める。
【０１１１】
（ステップＳ３０２）服薬情報管理部５４２は、服薬剤有無検知部５２から服薬剤有無情報を受け取る。服薬情報管理部５４２は、服薬剤有無情報に基づき、全てのクリップ１１に薬袋３０、３１が挟まれているか否か判定する。服薬情報管理部５４２は、全てのクリップ１１に薬袋３０、３１が挟まれていると判定した場合（ＹＥＳ）、ステップＳ３０３に処理を進める。一方、全てのクリップ１１に薬袋３０、３１が挟まれていないと判定した場合（ＮＯ）、服薬情報管理部５４２はステップＳ３０１に処理を進める。
【０１１２】
（ステップＳ３０３）服薬情報取得部５３１は、服薬情報管理部５４２から服薬情報５５１を取得するための命令を受け取る。服薬情報取得部５３１は、命令を受け取った後、外部のパソコンから無線通信により服薬情報５５１を取得し服薬情報管理部５４２に伝える。その後、服薬情報取得部５３１は、ステップＳ３０４に処理を進める。
【０１１３】
（ステップＳ３０４）服薬情報管理部５４２は、服薬情報取得部５３１から服薬情報管理部５４２を読み込み、服薬情報取得部５３１が服薬情報５５１を取得しているか否か判定する。
服薬情報管理部５４２は、服薬情報取得部５３１が服薬情報５５１を取得していないと判定した場合（ＹＥＳ）、記憶部５５に記憶される報知パターン情報５５２の中から対応する報知パターン１０を読み込む。服薬情報管理部５４２は、読み込んだ報知パターン１０を報知部５６に渡す。その後、服薬情報管理部５４２は、ステップＳ３０５に処理を進める。
一方、服薬情報取得部５３１が服薬情報５５１を取得していると判定した場合（ＮＯ）、服薬情報管理部５４２はステップＳ３０７に処理を進める。
【０１１４】
（ステップＳ３０５）報知部５６は、服薬情報管理部５４２から読み込んだ報知パターン１０に基づき報知を行う。その後、服薬情報管理部５４２は、処理をステップＳ３０６に進める。
（ステップＳ３０６）服薬情報管理部５４２は、服薬情報取得部５３１に服薬情報５５１を取得するための命令を渡す。服薬情報取得部５３１は、命令を受け取った後、外部のパソコンから無線通信により服薬情報５５１を取得し服薬情報管理部５４２に伝える。その後、服薬情報取得部５３１は、ステップＳ３０７に処理を進める。
（ステップＳ３０７）服薬情報管理部５４２は、服薬剤有無検知部５２から服薬剤有無情報を受け取る。服薬情報管理部５４２は、服薬剤有無情報、及び服薬情報５５１に基づき、全てのクリップ１１に薬袋３０、３１が挟まれており、かつそれら全てに服薬情報が設定されているか否かを判定する。
服薬情報管理部５４２は、少なくとも、全てのクリップ１１に服薬情報が設定されていないと判定した場合（ＹＥＳ）、記憶部５５に記憶される報知パターン情報５５２の中から対応する報知パターン１１を読み込む。服薬情報管理部５４２は、読み込んだ報知パターン１１を報知部５６に渡す。その後、服薬情報管理部５４２は、ステップＳ３０８に処理を進める。
一方、服薬情報管理部５４２は、全てのクリップ１１に服薬情報が設定されていると判定した場合（ＮＯ）、ステップＳ３１０に処理を進める。
【０１１５】
（ステップＳ３０８）報知部５６は、服薬情報管理部５４２から読み込んだ報知パターン１１に基づき報知を行う。その後、服薬情報管理部５４２は、ステップＳ３０９に処理を進める。
【０１１６】
（ステップＳ３０９）服薬情報管理部５４２は、服薬情報取得部５３１に服薬情報５５１を取得するための命令を渡す。服薬情報取得部５３１は、命令を受け取った後、外部のパソコンから無線通信により服薬情報５５１を取得し服薬情報管理部５４２に伝える。服薬情報管理部５４２は、服薬情報取得部５３１から服薬情報５５１を読み込む。その後、服薬情報管理部５４２はステップＳ３１０に処理を進める。
【０１１７】
（ステップＳ３１０）服薬情報管理部５４２は、服薬剤有無検知部５２から服薬剤有無情報を受け取る。服薬情報管理部５４２は、服薬剤有無情報に基づき、全てのクリップ１１に薬袋３０、３１が挟まれているか否かを判定する。
服薬情報管理部５４２は、全てのクリップ１１に薬袋３０、３１が挟まれていないと判定した場合（ＹＥＳ）、記憶部５５に記憶される報知パターン情報５５２の中から対応する報知パターン１２を読み込む。服薬情報管理部５４２は、読み込んだ報知パターン１２を報知部５６に渡す。その後、服薬情報管理部５４２は、ステップＳ３１１に処理を進める。
一方、服薬情報管理部５４２は、全てのクリップ１１に薬袋３０、３１が挟まれていると判定した場合（ＮＯ）、ステップＳ３１０の処理を終了する。
【０１１８】
（ステップＳ３１１）報知部５６は、服薬情報管理部５４２から読み込んだ報知パターン１２に基づき報知を行う。その後、服薬情報管理部５４２は、ステップＳ３１２に処理を進める。
【０１１９】
（ステップＳ３１２）薬充填者である有資格介護者は、全てのクリップ１１に薬袋３０、３１を挟む。その後、服薬情報管理部５４２は、ステップＳ３１０に処理を進める。
【０１２０】
以上に説明したように、本実施形態に係る服薬管理装置は、支持部（この一例において、クリップ１１）、記憶部５５、検知情報取得部（この一例において、服薬剤有無検知部５２）、時間情報取得部（この一例において、時間管理部５４１）、選択部（この一例において、服薬情報管理部５４２）、及び報知部５６を備えて構成される。
クリップ１１は、一又は複数の服薬剤を保持する薬袋３０、３１を挟持可能である。
記憶部５５は、クリップ１１各々について服薬時間を示す服薬時間情報を含む服薬情報５５１を記憶する。
服薬剤有無検知部５２は、クリップ１１各々について薬袋３０、３１を挟持しているか否かを示す検知情報（この一例において、服薬剤有無情報）を取得する。
時間管理部５４１は、時計部５１により計時された時間情報（この一例において、現在時刻の情報）を取得する。
服薬情報管理部５４２は、服薬時間情報（この一例において、服薬情報５５１）、服薬剤有無情報、及び、現在時刻の情報に基づいて、複数の報知パターンから報知パターンを選択する。
報知部５６は、服薬情報管理部５４２が選択した報知パターンで、音又は光を用いた報知を行う。
以上の構成により、服薬管理において服薬者の誤飲や重複薬を防止することが可能になる。
【０１２１】
なお、上述した実施形態における服薬管理装置の一部、例えば、制御部５４、及び記憶部５５をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、服薬管理装置に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
また、上述した実施形態における服薬管理装置の一部、または全部を、ＬＳＩ（Ｌａｒｇｅ  Ｓｃａｌｅ  Ｉｎｔｅｇｒａｔｉｏｎ）等の集積回路として実現しても良い。服薬管理装置の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【０１２２】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１２３】
１…服薬管理装置、１０…本体、１１…クリップ、１１１…カラーＬＥＤ、１１２…カラーＬＥＤ、１２…時計部、１３…スピーカー、１４…スピーカー、１５…持ち運び用取っ手、１６…吸着ゴム、１７…基台、１８…ＡＣアダプター差し込み口、１９…ガイド版、２０…溝部、２１、２２…本体電極、２３…突起、２４、２５…基台側電極、２６…くぼみ、３０、３１…薬袋、１１３、１１４…金属部、Ｃ１…回路
【図１】
2017158944.tif 000003
【図２】
2017158944.tif 000004
【図３】
2017158944.tif 000005
【図４】
2017158944.tif 000006
【図５】
2017158944.tif 000007
【図６】
2017158944.tif 000008
【図７】
2017158944.tif 000009
【図８】
2017158944.tif 000010
【図９】
2017158944.tif 000011
【図１０】
2017158944.tif 000012
【図１１】
2017158944.tif 000013
【図１２】
2017158944.tif 000014
【図１３】
2017158944.tif 000015
【図１４】
2017158944.tif 000016
【図１５】
2017158944.tif 000017
【図１６】
2017158944.tif 000018
【図１７】
2017158944.tif 000019
【図１８】
2017158944.tif 000020
【図１９】
2017158944.tif 000021